【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
送信機からのエンジン始動指令を受けると、車両のエンジンを始動させる始動手段を備
えた遠隔始動装置において、
前記送信機からの指令を受けてのエンジン始動が頻繁に行われている、又は頻繁に行わ
れるか否かを判定する始動状況判定手段と、
始動状況判定手段により、エンジン始動が頻繁に行われている、又は頻繁に行われると
判定された場合、前記送信機からの指令を受けてのエンジン始動を制限する制限手段とを
備えていることを特徴とする遠隔始動装置。
【請求項２】
所定のリセット条件が成立したか否かを判断する条件成立判断手段と、
該条件成立判断手段により前記所定のリセット条件が成立したと判断された場合、前記
始動状況判定手段による判定をリセットする第１のリセット手段とを備えていることを特
徴とする請求項１記載の遠隔始動装置。
【請求項３】
前記所定のリセット条件に、前記車両における正規の使用者が前記車両の周囲に存在す
ること、又は前記正規の使用者が前記車両内に存在することが検出されることが含まれて
いることを特徴とする請求項２記載の遠隔始動装置。
【請求項４】
前記始動状況判定手段が、エンジン始動の回数に基づいて、エンジン始動が頻繁に行わ
れている、又は頻繁に行われるか否かを判定するものであることを特徴とする請求項１〜
３のいずれかの項に記載の遠隔始動装置。
【請求項５】
前記始動状況判定手段が、エンジン始動の回数が第１の所定回数以上であるか否かを判
断する機能を有し、
エンジン始動の回数が前記第１の所定回数以上であると判断した場合、エンジン始動が
頻繁に行われていると判定するものであることを特徴とする請求項４記載の遠隔始動装置
。
【請求項６】
エンジン停止から次のエンジン始動までの経過時間が第１の所定時間内であるか否かを
判断する第１の経過判断手段を備え、
前記始動状況判定手段が、前記第１の経過判断手段による判断結果に基づいて、エンジ
ン停止から前記第１の所定時間内におけるエンジン始動が第２の所定回数継続しているか
否かを判断する機能を有し、
エンジン停止から前記第１の所定時間内におけるエンジン始動が前記第２の所定回数継
続していると判断した場合、エンジン始動が頻繁に行われていると判定するものであるこ
とを特徴とする請求項４記載の遠隔始動装置。
【請求項７】
前記始動状況判定手段が、第１の所定期間内におけるエンジン始動の回数が第３の所定
回数以上であるか否かを判断する機能を有し、
前記第１の所定期間内におけるエンジン始動の回数が前記第３の所定回数以上であると
判断した場合、エンジン始動が頻繁に行われていると判定するものであることを特徴とす
る請求項４記載の遠隔始動装置。
【請求項８】
エンジン停止から第２の所定時間が経過しているか否かを判断する第２の経過判断手段
と、
該第２の経過判断手段により、エンジン停止から前記第２の所定時間が経過していると
判断された場合、前記制限手段によるエンジン始動の制限を解除する制限解除手段と、
該制限解除手段によるエンジン始動の制限解除を受けて、エンジン始動の回数をリセッ
トする第２のリセット手段とを備えていることを特徴とする請求項１〜７のいずれかの項
に記載の遠隔始動装置。
【請求項９】
エンジン停止から次のエンジン始動までの経過時間が第３の所定時間以下であるか否か
を判断する第３の経過判断手段を備え、
該第３の経過判断手段により、エンジン停止から次のエンジン始動までの経過時間が前
記第３の所定時間以下であると判断された場合、
前記始動状況判定手段が、エンジン始動が頻繁に行われると判定するものであることを
特徴とする請求項１〜３のいずれかの項に記載の遠隔始動装置。
【請求項１０】
前記始動状況判定手段が、次のエンジン始動によって第２の所定期間内におけるエンジ
ン始動の回数が第４の所定回数以上であるか否かを判断する機能を有し、
前記第２の所定期間内におけるエンジン始動の回数が前記第４の所定回数以上になると
判断した場合、エンジン始動が頻繁に行われると判定するものであることを特徴とする請
求項１〜３のいずれかの項に記載の遠隔始動装置。
【請求項１１】
前記車両の環境に関する情報に基づいて、前記第１〜前記第４の所定回数、前記第１〜
前記第３の所定時間、前記第１又は前記第２の所定期間のうちの少なくとも一つのパラメ
ータを設定するものであることを特徴とする請求項５〜１０のいずれかの項に記載の遠隔
始動装置。
【請求項１２】
前記送信機からのエンジン始動指令を受けた場合、前記制限手段によってエンジン始動
が制限されていることを使用者へ知らせる告知手段を備えていることを特徴とする請求項
１〜１１のいずれかの項に記載の遠隔始動装置。
【請求項１３】
送信機からのエンジン始動指令に応答して、車両のエンジンを遠隔始動させる始動手段
を備えた遠隔始動装置において、
前記遠隔始動の頻度を検出する検出手段と、
該検出手段により検出される前記遠隔始動の頻度に応じて、前記遠隔始動を制限する制
限手段とを備えていることを特徴とする遠隔始動装置。
【請求項１４】
所定の期間内における前記遠隔始動の回数が、所定の回数を越える場合、
前記制限手段が、前記遠隔始動を禁止するものであることを特徴とする請求項１３記載
の遠隔始動装置。
【請求項１５】
所定の期間内における前記遠隔始動によるエンジンの累積作動時間を計測する計測手段
を備え、
前記所定の期間内における前記遠隔始動の回数が、所定の回数を越える場合、又は前記
計測手段により計測された前記累積作動時間が所定の時間を越えた場合、
前記制限手段が、前記遠隔始動を禁止するものであることを特徴とする請求項１３記載
の遠隔始動装置。
【請求項１６】
送信機からのエンジン始動指令に応答して、車両のエンジンを遠隔始動させる始動手段
を備えた遠隔始動装置において、
所定の期間内における前記遠隔始動によるエンジンの累積作動時間を計測する計測手段
と、
該計測手段により計測された前記累積作動時間に応じて、前記遠隔始動を制限する制限
手段とを備えていることを特徴とする遠隔始動装置。
【請求項１７】
所定の条件が成立した場合、前記遠隔始動の制限を行うべきか否かの判定に用いる情報
をリセットするリセット手段を備えていることを特徴とする請求項１３〜１６のいずれか
の項に記載の遠隔始動装置。
【請求項１８】
送信機からのエンジン始動指令に応答して、車両のエンジンを遠隔始動させる始動手段
を備えた遠隔始動装置において、
エンジンの停止から次のエンジン始動までの経過時間が所定の時間より短いか否かを判
断する判断手段と、
該判断手段により、前記経過時間が前記所定の時間より短いと判断された場合、前記遠
隔始動を禁止する禁止手段とを備えていることを特徴とする遠隔始動装置。
【請求項１９】
送信機からのエンジン始動指令に応答して、車両のエンジンを遠隔始動させる始動手段
を備えた遠隔始動装置において、
所定の期間内における前記遠隔始動によるエンジンの累積作動時間を計測する計測手段
と、
該計測手段により計測された前記累積作動時間が所定の時間以上になった場合、前記遠
隔始動を制限する制限手段と、
使用者が前記車両へ乗り込んだことを検出する検出手段と、
該検出手段により使用者が前記車両へ乗り込んだことが検出されると、前記遠隔始動の
制限を解除する制限解除手段とを備えていることを特徴とする遠隔始動装置。
【請求項２０】
送信機からのエンジン始動指令に応答して、車両のエンジンを遠隔始動させる遠隔始動
方法において、
前記遠隔始動の頻度を検出するステップと、
前記遠隔始動の頻度が所定値を越えたか否かを判断するステップと、
前記遠隔始動の頻度が前記所定値を越えたと判断した場合、前記遠隔始動を制限するス
テップとを有していることを特徴とする遠隔始動方法。